(57)【特許請求の範囲】
【請求項１】
２つの吸収溶液が独立した２つの吸収サイクルを構成する吸収式冷凍機であって、
蒸発器と、凝縮器と、を含み、
前記２つの吸収サイクルはそれぞれ、吸収器を有し、
前記吸収器のそれぞれの気相部は、分離され、
前記吸収器のそれぞれの内部には、エゼクタが設けられ、
前記エゼクタのそれぞれの駆動液は、前記吸収器のそれぞれの前記吸収溶液の一部であり、前記吸収器のそれぞれに接続された溶液ポンプから供給される、吸収式冷凍機。
【請求項２】
前記駆動液は、前記溶液ポンプの吐出側から前記エゼクタに流入し、かつ、前記エゼクタから前記溶液ポンプの吸込側に流出する、請求項１記載の吸収式冷凍機。
【請求項３】
前記駆動液は、前記エゼクタから前記溶液ポンプにより再生器に送られる、請求項２記載の吸収式冷凍機。
【請求項４】
前記駆動液となる前記吸収溶液の一部は、前記溶液ポンプの吐出側から前記蒸発器にて熱交換をされた後、前記エゼクタに流入する構成である、請求項１〜３のいずれか一項に記載の吸収式冷凍機。
【請求項５】
前記蒸発器で冷却された冷水の温度を検出し、これを用いて、前記エゼクタに送られる前記吸収溶液の量を調節する、請求項１〜４のいずれか一項に記載の吸収式冷凍機。
【請求項６】
前記冷水の温度から冷凍機の性能を判定する、請求項５記載の吸収式冷凍機。
【請求項７】
さらに、前記凝縮器の内部にエゼクタが設けられている、請求項１〜６のいずれか一項に記載の吸収式冷凍機。
【請求項８】
前記凝縮器の内部に設けた前記エゼクタの駆動液は、前記吸収溶液の一部である、請求項７記載の吸収式冷凍機。
【請求項９】
前記凝縮器の内部に設けた前記エゼクタの前記駆動液に混入した不凝縮ガスは、貯気タンクに集められ、大気中に排出される構成を有する、請求項８記載の吸収式冷凍機。
【請求項１０】
高圧再生器と、低圧再生器と、補助吸収器と、補助再生器と、を含み、  前記低圧再生器と前記補助吸収器とは、連通する気相部を有し、
前記高圧再生器及び前記補助再生器は、共通の凝縮器に接続され、前記高圧再生器と前記補助再生器と前記凝縮器とは、連通する気相部を有する、請求項１〜９のいずれか一項に記載の吸収式冷凍機。
【請求項１１】
前記蒸発器、前記吸収器、前記低圧再生器、前記高圧再生器、前記補助吸収器及び前記補助再生器は、流下液膜式の熱交換器を有する、請求項１０記載の吸収式冷凍機。
【発明の詳細な説明】
【技術分野】
【０００１】
本発明は、吸収式冷凍機に関するものである。
【背景技術】
【０００２】
吸収式冷凍機は、熱駆動できることから、排熱として出た温水を駆動熱源として冷熱を供給することができる。再生器が１つの単効用サイクルでは、９０℃程度の温水を駆動熱源として７℃程度の冷熱を供給できる。
【０００３】
特許文献１には、単効用サイクルと２段吸収サイクルを組み合わせた吸収式冷凍機が記載されている。これは、単効用サイクル側に高圧再生器と低圧再生器を設け、溶液の全量を吸収器、高圧再生器、低圧再生器、吸収器の順で循環させるシリーズフローとなっている。また、２段吸収サイクル側は、補助吸収器と補助再生器からなり、補助吸収器の気相部が低圧再生器と連通し、補助再生器の気相部が高圧再生器と凝縮器の気相部と連通した構成が記載されている。特許文献１では、駆動熱源の温水を単効用サイクルに必要な温度から、２段吸収サイクルに必要な温度まで利用できるとしている。
【０００４】
また、特許文献２には、長期にわたり効率のよい吸収器を備えた吸収冷凍機の記載がある。すなわち、低圧吸収器と高圧吸収器に溜まった不凝縮ガスをそれぞれに備えたエゼクタにより抽気されるものである。抽気された不凝縮ガスは、気液分離器を経て貯気タンクに貯蔵される。貯気タンクには弁が付設されており、貯気タンクの圧力が所定値を超えたら、弁を開いてエゼクタにより、貯気タンクから吸収冷凍機の外部へ不凝縮ガスを放出する。
【先行技術文献】
【特許文献】
【０００５】
【特許文献１】韓国公開特許第１０−２０１１−００１４３７６号公報
【特許文献２】特開２００２−８１８０５号公報
【発明の概要】
【発明が解決しようとする課題】
【０００６】
たとえば、水−臭化リチウム水溶液（以下、「溶液」という。）を使用した吸収式冷凍機は、冷凍機を構成する各要素を真空雰囲気で作動させている。そのため、運転中の何らかの要因で外部から空気が漏れ込んだ場合、又は吸収式冷凍機内に多数配置された伝熱管や缶体の壁面などで溶液や水などと漏れ込んだ空気が僅かながらに反応して不凝縮ガスを発生した場合、冷凍機内の真空度を低下させることになる。真空度の低下は、冷凍能力の低下を引き起こす。
【０００７】
したがって、蒸発や吸収作用に寄与しないこれらの空気や不凝縮ガスを速やかに外部へ排出する必要がある。
【０００８】
不凝縮ガスは、次のような過程においても発生する。冷凍機内の腐食防止策として、溶液中に腐食防止剤を添加し、機内の各要素内面に酸化被膜を生成している。なお、その酸化被膜は、溶液中の水分子と腐食防止剤とが反応に関与することによって生じる。そして、反応の進行とともに、水分子中の酸素は、酸化被膜に使用され、水素が不凝縮ガスとして残る。
【０００９】
そして、その不凝縮ガスは、冷凍機内で最も圧力が低い吸収器に溜まり、吸収性能の低下、さらには冷凍機全体の性能低下に発展する懸念がある。
【００１０】
その懸念に対して、特許文献２においては、二重効用サイクルにおいて、上記の不凝縮ガスを吸収器及び凝縮器に設けたエゼクタで抽気し、冷凍機外へ排出する構造により解決している。ただし、特許文献２においては、１つの溶液循環サイクルに対応した抽気手段であって、特許文献１に記載されているような２段吸収サイクルの溶液循環サイクルと単効用サイクルの溶液循環サイクルとが独立して循環している吸収式冷凍機には、適用できない。また、特許文献１には、不凝縮ガスの抽気及び排出の方法については記載されていない。
【００１１】
そこで、本発明の課題は、２つの吸収溶液が独立した２つの吸収サイクルを構成する吸収式冷凍機の内部に蓄積される不凝縮ガスを効率よく抽気し、排出することにより、冷凍能力を維持することにある。
【課題を解決するための手段】
【００１２】
本発明は、２つの吸収溶液が独立した２つの吸収サイクルを構成する吸収式冷凍機であって、２つの吸収サイクルのそれぞれの吸収器の内部には、エゼクタが設けられ、エゼクタのそれぞれの駆動液は、吸収器のそれぞれの吸収溶液の一部であり、吸収器のそれぞれに接続された溶液ポンプから供給される構成を有する。
【発明の効果】
【００１３】
本発明によれば、２つの吸収溶液が独立した２つの吸収サイクルを構成する吸収式冷凍機の内部に蓄積される不凝縮ガスを効率よく抽気し、排出することにより、冷凍能力を維持することができる。また、２つの吸収サイクルに用いる吸収溶液の量にアンバランスが生じないため、吸収式冷凍機の高効率の連続運転が可能になる。
【図面の簡単な説明】
【００１４】
【図１】第１の実施形態に係わる吸収式冷凍機を概略的に示す全体構成図である。
【図２】第２の実施形態に係わる吸収式冷凍機の要部を示す構成図である。
【図３】第３の実施形態に係わる吸収式冷凍機の要部を示す構成図である。
【発明を実施するための形態】
【００１５】
本発明における主要な装置構成について説明する。
【００１６】
本発明吸収式冷凍機は、蒸発器、吸収器、高圧再生器、低圧再生器、凝縮器、補助吸収器、補助再生器、熱交換器（低温、中温、高温）、冷媒ポンプ、溶液ポンプ、冷却水ポンプ及び冷却塔、並びにこれらを機能的に接続する配管系から概ね構成されている。単効用サイクルフローは、蒸発器、吸収器、高圧再生器、低圧再生器などを備えている。一方、補助サイクルフローは、補助吸収器、補助再生器などを備えている。冷凍能力を維持するために、各サイクルフローに必要な溶液循環量は、それぞれ定まっており、お互いの溶液が混合または分配されないようにそれぞれが独立した配管系を成している。上記のように単効用サイクルフローと補助サイクルフローとから構成されているものを、ここでは２段吸収サイクル吸収式冷凍機と呼ぶ。
【００１７】
以下、本発明の実施の態様について３つに分けて説明する。
【００１８】
まず、第１の実施の態様について説明する。
【００１９】
単効用サイクルフローにおいて、溶液ポンプの下流側配管（吐出側配管）を低温溶液熱交換器の手前で分岐し、吸収器内部へ導く。その分岐配管を吸収器から取り出し、吸収器と溶液ポンプとをつなぐ配管の途中に接続する。さらに、吸収器内を通過する分岐配管の途中にエゼクタを設ける。そのエゼクタによって吸収器内部に溜まった不凝縮ガスを抽気する。なお、エゼクタの駆動液は、溶液ポンプの下流側（吐出側）を流れる溶液（単効用サイクルフロー側）の一部とする。エゼクタの駆動液は、溶液ポンプの吐出側からエゼクタに流入し、エゼクタから溶液ポンプの吸込側に流出する。
【００２０】
また、補助サイクルフローにおいては、溶液ポンプの下流側配管を中温溶液熱交換器の手前で分岐し、補助吸収器内部へ導く。その分岐配管を補助吸収器から取り出し、補助吸収器と溶液ポンプとをつなぐ配管の途中に接続する。さらに、補助吸収器内を通過する分岐配管の途中にエゼクタを設ける。そのエゼクタによって補助吸収器内部に溜まった不凝縮ガスを抽気する。なお、エゼクタの駆動液は、溶液ポンプ下流側を流れる溶液（補助サイクルフロー側）の一部とする。
【００２１】
各フローで抽気された不凝縮ガスは、溶液の流れに乗って補助再生器（補助サイクルフロー側）と高圧再生器（単効用サイクルフロー側）に送られる。そして、各再生器で生成された冷媒蒸気と送られてきた不凝縮ガスとが凝縮器に流れ込む。
【００２２】
加えて、凝縮器内部には、次の構造を備える。すなわち、単効用サイクルフロー側の溶液ポンプの下流側配管を低温溶液熱交換器の手前で分岐し、凝縮器内部へ導く。その分岐配管を凝縮器から取り出し、気液分離器に接続する。さらに、凝縮器内部を通過する分岐配管の途中にエゼクタを設ける。そして、そのエゼクタによって、上記の各サイクルフローから集められた不凝縮ガスをまとめて抽気する。なお、エゼクタの駆動液は、単効用サイクルフローを循環する溶液の一部とする。
【００２３】
次に、気液分離器内部で溶液と不凝縮ガスに分離して、溶液は、単効用サイクルフローに戻される。一方、不凝縮ガスは、貯気タンクに一時的に保持されて、排出用のエゼクタによって不凝縮ガスを機外へ排出する。
【００２４】
次に、第２の実施の態様について説明する。
【００２５】
第１の実施の態様において、駆動液となる吸収溶液の一部は、単効用サイクルフローの分岐配管を吸収器に導く前に蒸発器の内部を経由するように配置することにより、蒸発器の内部にて熱交換を行い、蒸発器から取り出した分岐配管を吸収器に導くものである。
【００２６】
次に、第３の実施の態様について説明する。
【００２７】
第１又は第２の実施の態様において、吸収式冷凍機の運転中に、冷凍能力を取得して能力低下が認められた場合にのみ抽気動作を実施するものである。つまり、各サイクルフローの抽気用分岐配管の途中に電磁弁を設置し、冷凍能力の低下に応じて電磁弁を開き、抽気を行うものである。なお、冷凍能力の判定は、蒸発器からの冷水出口の温度データなどを参照する。
【００２８】
＜実施形態１＞
図１は、２段吸収サイクル吸収式冷凍機を概略的に示す全体構成図である。
【００２９】
吸収式冷凍機１００は、単効用サイクルと補助サイクルとから構成されており、それぞれのサイクルで吸収溶液（単に「溶液」ともいう。）が独立して循環する。単効用サイクルは、蒸発器１０１、吸収器１０２、高圧再生器１０３、低圧再生器１０４、凝縮器１０５、低温溶液熱交換器１０６、高温溶液熱交換器１０７、冷媒ポンプ１０８、溶液ポンプ１０９、１１０などを備えている。補助サイクルは、補助吸収器１１１、補助再生器１１２、中温溶液熱交換器１１３、溶液ポンプ１１４、１１５などを備えている。蒸発器１０１、吸収器１０２、高圧再生器１０３、低圧再生器１０４、補助吸収器１１１及び補助再生器１１２は、流下液膜式の熱交換器を有する。低圧再生器１０４と補助吸収器１１１とは、連通する気相部を有し、高圧再生器１０３及び補助再生器１１２は、共通の凝縮器１０５に接続され、高圧再生器１０３と補助再生器１１２と凝縮器１０５とは、連通する気相部を有する。
【００３０】
単効用サイクルフローについて説明する。
【００３１】
高い真空圧力に維持された蒸発器１０１では、冷媒ポンプ１０８で蒸発器１０１底部に溜められた冷媒を冷媒配管１１６に通して散布装置１０１ａに導き、伝熱管群１０１ｂの外面に散布する。散布した冷媒は、その伝熱管内を流れる冷水に加熱され、その一部が冷媒蒸気となり、エリミネータ１１７を介して吸収器１０２に導かれる。このときに冷媒が蒸発する際の蒸発潜熱が、その伝熱管内を流れる冷水を冷却する。
【００３２】
吸収器１０２では、後述の低圧再生器１０４及び高圧再生器１０３で濃縮された溶液が、散布装置１０２ａから伝熱管群１０２ｂの外面に散布される。その散布された溶液は、蒸発器１０１から流入した冷媒蒸気を吸収し、濃度の薄い溶液（以下、「稀溶液」という。）となり、吸収器１０２底部に溜まる。吸収器１０２底部に溜まった稀溶液は、溶液ポンプ１０９によって、稀溶液配管１１８を通して高圧再生器１０３へ送液される。吸収器１０２から高圧再生器１０３までの稀溶液配管１１８の途中には、低温溶液熱交換器１０６及び高温溶液熱交換器１０７が設置されており、その稀溶液は、高圧再生器１０３に到達するまでに順次、昇温される。
【００３３】
また、低温溶液熱交換器１０６と高温溶液熱交換器１０７とをつなぐ稀溶液配管１１８の途中に分岐部ｆを設け、分岐部ｆから低圧再生器１０４までを分岐配管１３６で接続する。その分岐配管１３６の流路途中には、流量調整弁１３７を備える。その流量調整弁１３７によって低圧再生器１０４及び高圧再生器１０３への溶液散布量を制御できる。
【００３４】
高圧再生器１０３では、外部から投入した伝熱管群１０３ｂの内部を通る熱媒体（図示なし）によって、稀溶液が加熱濃縮されて冷媒蒸気と濃度の濃い溶液（濃溶液）に分離される。分離された冷媒蒸気は、通路１１９を通って凝縮器１０５へ送られる。一方、濃溶液は、溶液ポンプ１１０の駆動力によって、濃溶液配管１３８へ導かれ、高温溶液熱交換器１０７を通過したのち、濃溶液配管１３８の途中の合流部ｇで、後述する低圧再生器１０４から送られてきた濃溶液と合流し、低温溶液熱交換器１０６を通過して、吸収器１０２の上部に設置されている散布装置１０２ａへ送液される。
【００３５】
低圧再生器１０４では、分岐部ｆから送られた稀溶液が、低圧再生器１０４の上部にある散布装置１０４ａから伝熱管群１０４ｂに散布され、管群内を通る熱媒体によって加熱濃縮され、濃度の濃い溶液（濃溶液）になる。その濃溶液は、低圧再生器１０４の底部に溜まり、溶液ポンプ１１０の駆動力によって濃溶液配管１２０を通って、高圧再生器１０３から送られてくる濃溶液と合流部ｇで合流して、低温溶液熱交換器１０６を通過したのち、吸収器１０２へ送液される。
【００３６】
凝縮器１０５では、高圧再生器１０３から送られてきた冷媒蒸気と、後述の補助再生器１１２からの冷媒蒸気とが合流して、それらの冷媒が凝縮液化したのち、蒸発器１０１底部へ送液される。
【００３７】
以下、上記フローが繰り返し循環する。また、このように吸収器１０２から出た稀溶液が、高圧再生器１０３と低圧再生器１０４に分配送液され、並行してそれらの溶液を加熱濃縮するフローをパラレルフローと呼ぶ。
【００３８】
補助サイクルフローについて説明する。
【００３９】
補助吸収器１１１では、後述の補助再生器１１２で濃縮された濃溶液が、散布装置１１１ａから伝熱管群１１１ｂの外面に散布される。その散布された濃溶液は、低圧再生器１０４から流入した冷媒蒸気を吸収し、稀溶液となる。その稀溶液は、補助吸収器１１１の底部に溜まり、溶液ポンプ１１４によって、稀溶液配管１２１を通過して、補助再生器１１２へ送られる。補助吸収器１１１と補助再生器１１２とをつなぐ稀溶液配管１２１の途中には中温溶液熱交換器１１３が設置されており、その稀溶液は補助再生器１１２に到達するまでに昇温される。
【００４０】
補助再生器１１２では、補助吸収器１１１から送液された稀溶液が、散布装置１１２ａによって伝熱管群１１２ｂの外面に散布される。散布された稀溶液は、外部から投入した伝熱管群１１２ｂの内部を流れる熱媒体によって、加熱濃縮されて冷媒蒸気と濃溶液に分離される。その濃溶液は、補助再生器１１２の底部に溜まり、溶液ポンプ１１５によって濃溶液配管１２２を通って、補助吸収器１１１に送られる。補助再生器１１２から補助吸収器１１１への濃溶液配管１２２の途中には中温溶液熱交換器１１３が設置され、補助吸収器１１１から補助再生器１１２へ向かう稀溶液と熱交換する。
【００４１】
凝縮器１０５では、補助再生器１１２で発生した冷媒蒸気が通路１２３を通って送られてきて、前述の高圧再生器１０３からの冷媒蒸気と合流して、それらの冷媒が凝縮液化したのち、蒸発器１０１底部へ送液される。
【００４２】
また、２段吸収サイクル吸収式冷凍機の駆動力である熱媒体は、高圧再生器１０３、低圧再生器１０４、補助再生器１１２の伝熱管群（１０３ｂ、１０４ｂ、１１２ｂ）内に投入して、熱を回収する。
【００４３】
吸収器１０２、補助吸収器１１１、凝縮器１０５には、熱回収用の冷却水が、伝熱管群（１０２ｂ、１１１ｂ、１０５ｂ）内を通して送液されている。熱を回収した冷却水は、図示していない冷却塔によって冷却され、再度冷却水として循環される。
【００４４】
本発明が提案する不凝縮ガスの抽気、排出動作について説明する。
【００４５】
吸収式冷凍機内部で発生した不凝縮ガスは、機内で最も低圧となる吸収器１０２（単効用サイクル側）と補助吸収器１１１（補助サイクル側）に溜まる。
【００４６】
まず、吸収器１０２内部（単効用サイクル側）に溜まる不凝縮ガス１２４の抽気手段について説明する。
【００４７】
抽気構造について説明する。溶液ポンプ１０９下流に接続されている稀溶液配管１１８の分岐部ａから分岐配管１２５を接続し、吸収器１０２内部を通過させるように配置する。吸収器１０２通過後の分岐配管１２５は、吸収器１０２と溶液ポンプ１０９をつなぐ稀溶液配管１１８の途中（合流部ｂ）に接続し、合流させる。また、吸収器１０２内部を通過する分岐配管１２５の途中には、エゼクタ１２６を設置する。
【００４８】
抽気動作について説明する。分岐部ａで稀溶液の一部が、分岐配管１２５を通って吸収器１０２内部のエゼクタ１２６に送液される。そして、エゼクタ効果により吸収器１０２内部の不凝縮ガス１２４を抽気し、送液された稀溶液に回収後、分岐配管１２５を通って稀溶液配管１１８の合流部ｂに送液される。合流部ｂでは吸収器１０２から出た稀溶液と、抽気による不凝縮ガス１２４を含んだ稀溶液とが合流する。そして、抽気された不凝縮ガス１２４は、稀溶液に含まれた状態で高圧再生器１０３に送られる。高圧再生器１０３に送られた不凝縮ガス１２４を含む稀溶液は、加熱濃縮されて冷媒蒸気と不凝縮ガス１２４と濃溶液に分離される。その内、冷媒蒸気及び不凝縮ガス１２４は、通路１１９を通って凝縮器１０５に送られる。上記の抽気動作によって、吸収器１０２に溜まった不凝縮ガス１２４が凝縮器１０５に送られる。凝縮器１０５の内部にもエゼクタ１３９が設けられている。
【００４９】
次に、補助吸収器１１１（補助サイクル側）に溜まる不凝縮ガス１２７の抽気手段について説明する。
【００５０】
抽気構造について説明する。溶液ポンプ１１４下流に接続されている稀溶液配管１２１の分岐部ｃから分岐配管１２８を接続し、補助吸収器１１１内部を通過させるように配置する。補助吸収器１１１通過後の分岐配管１２８は、補助吸収器１１１と溶液ポンプ１１４をつなぐ稀溶液配管１２１の途中（合流部ｄ）に接続し、合流させる。また、補助吸収器１１１内部を通過する分岐配管１２８の途中にはエゼクタ１２９を設置する。
【００５１】
抽気動作について説明する。分岐部ｃで稀溶液の一部が、分岐配管１２８を通って補助吸収器１１１内部のエゼクタ１２９に送液される。そして、エゼクタ効果により補助吸収器１１１内部の不凝縮ガス１２７を抽気し、送液された稀溶液に回収後、分岐配管１２８を通って稀溶液配管１２１の合流部ｄに送液される。合流部ｄでは、補助吸収器１１１から出た稀溶液と、抽気による不凝縮ガス１２７を含んだ稀溶液とが合流する。そして、抽気された不凝縮ガス１２７は、稀溶液に含まれた状態で補助再生器１１２へ送られる。補助再生器１１２に送られた不凝縮ガス１２７を含む稀溶液は、加熱濃縮されて冷媒蒸気と不凝縮ガス１２７と濃溶液に分離される。その内、冷媒蒸気と不凝縮ガス１２７は、通路１２３を通って凝縮器１０５に送られる。上記の抽気動作によって、補助吸収器１１１に溜まった不凝縮ガス１２７が凝縮器１０５に送られる。
【００５２】
次に、凝縮器１０５に集められた単効用サイクル側と補助サイクル側の不凝縮ガス（１２４、１２７）の排出方法について説明する。
【００５３】
不凝縮ガス（１２４、１２７）の排出を行う構造について説明する。
【００５４】
単効用サイクル側の稀溶液配管１１８で、溶液ポンプ１０９と低温溶液熱交換器１０６をつなぐ稀溶液配管１１８の途中に分岐部ｅを設け、稀溶液が分岐部ｅから分岐配管１３０を接続し、凝縮器１０５の内部を通過するように配置する。分岐配管１３０により送られた稀溶液は、凝縮器１０５の内部に設けたエゼクタ１３９の駆動液となる。そして、凝縮器１０５通過後の分岐配管１３０は、気液分離器１３１に接続される。凝縮器１０５の内部の不凝縮ガスは、凝縮器１０５の内部に設けたエゼクタ１３９により気液分離器１３１に導かれる。
【００５５】
気液分離器１３１で分離された不凝縮ガスは、貯気タンク１３２に一定期間保持される。一方、稀溶液は配管１３３によって吸収器１０２へ戻される。そして、貯気タンク１３２内部の圧力値の変化をモニターし、設定値よりも圧力が上がった場合は、不凝縮ガスは、エゼクタ１３４によって配管１３５に吸引され、エゼクタ駆動液とともに機外（大気中）へ排出される。このときのエゼクタ駆動液は、上記の冷却水などを利用すればよい。
【００５６】
本実施形態では、高圧再生器１０３と低圧再生器１０４に分配送液され、並行してそれらの溶液を加熱濃縮するパラレルフローの場合での不凝縮ガス抽気、排出方法を説明したが、高圧再生器１０３と低圧再生器１０４の順にそれらの溶液を加熱濃縮するシリーズフローの場合でも同様の効果が得られる。
【００５７】
＜実施形態２＞
図２は、吸収式冷凍機の要部の構成を示したものである。
【００５８】
本実施形態は、実施形態１の不凝縮ガス１２４の抽出性能を向上させるものである。
【００５９】
すなわち、溶液ポンプ１０９下流の稀溶液配管１１８の途中の分岐部ａから分岐接続された分岐配管２０１を蒸発器１０１内部に通し（図中、Ａ１で示す。）、蒸発器１０１から出た分岐配管２０１を吸収器１０２に導く配管構造にしたものである（図中、Ａ２で示す。）。この配管構造により、分岐部ａで分岐された稀溶液の一部を蒸発器１０１に導き、その稀溶液を蒸発器１０１内の温度で冷却し、その後、吸収器１０２内部のエゼクタ１２６に送ることができる。稀溶液を蒸発器１０１内部で冷却したことによりエゼクタ１２６の駆動液となる稀溶液の圧力が下がり、エゼクタの抽気性能が向上する。
【００６０】
＜実施形態３＞
図３は、吸収式冷凍機の要部の構成を示したものである。
【００６１】
本実施形態は、上記実施形態１、２において、必要に応じて不凝縮ガス１２４の抽気動作を実施させるものである。
【００６２】
すなわち、単効用サイクル側で、稀溶液の分岐配管３０１の途中（分岐部ａからエゼクタ１２６の間）に電磁弁３０２を設ける。また、蒸発器１０１から出る冷水配管３０３には、冷水の温度をモニターする温度検知部３０４（温度検知手段）を設ける。そして、冷水温度測定値を制御ユニット３０５で取得し、冷水が設定温度に到達しない場合は、不凝縮ガスが発生したものと判定し、電磁弁３０２を開けてエゼクタ１２６を駆動する。
【００６３】
なお、冷水温度の異常は、不凝縮ガス１２４の発生に限ったものではないが、性能低下の一因であるため、これを排除するために上記の制御を行う。
【００６４】
以上の実施形態においては、２段吸収サイクルの溶液循環サイクルと単効用サイクル（補助サイクル）の溶液循環サイクルとが独立して循環しているパラレルフローの吸収式冷凍機について説明したが、本発明はこれに限定されるものではなく、シリーズフロー、二重効用、三重効用等のサイクルにも適用可能である。
【符号の説明】
【００６５】
１００：吸収式冷凍機、１０１：蒸発器、１０２：吸収器、１０３：高圧再生器、１０４：低圧再生器、１０５：凝縮器、１０６：低温溶液熱交換器、１０７：高温溶液熱交換器、１０８：冷媒ポンプ、１０９：溶液ポンプ、１１０：溶液ポンプ、１１１：補助吸収器、１１２：補助再生器、１１３：中温溶液熱交換器、１１４：溶液ポンプ、１１５：溶液ポンプ、１１６：冷媒配管、１１７：エリミネータ、１１８：稀溶液配管、１１９：通路、１２０：濃溶液配管、１２１：稀溶液配管、１２２：濃溶液配管、１２３：通路、１２４：不凝縮ガス、１２５：分岐配管、１２６：エゼクタ、１２７：不凝縮ガス、１２８：分岐配管、１２９：エゼクタ、１３０：分岐配管、１３１：気液分離器、１３２：貯気タンク、１３３：配管、１３４：エゼクタ、１３５：配管、１３６：分岐配管、１３７：流量調整弁、１３８：濃溶液配管、１３９：エゼクタ、２０１：分岐配管、３０１：分岐配管、３０２：電磁弁、３０３：冷水配管、３０４：温度検知部、３０５：制御ユニット。
【００６６】
ただし、添え字ａ：器内の散布装置、添え字ｂ：器内の伝熱管群。
【図１】
0006614873.tif 000002
【図２】
0006614873.tif 000003
【図３】
0006614873.tif 000004